(57)【要約】【課題】主に、携帯機が、車載機と間欠周期を有して近距離無線通信を行う場合に、携帯機の電力消耗を抑制させるようにする。【解決手段】携帯機７が、車載機６と間欠周期Ｃを有して近距離無線通信を行うように構成される。車両１と、車載機６と、携帯機７とのうち、少なくとも携帯機７が、車両１の位置と、携帯機７の位置とを衛星測位システムを使って測定可能な少なくとも１つの測位部２１〜２３を備える。携帯機７が、測位部２１〜２３で測定した車両１の位置と携帯機７の位置とに基づいて、車両１と携帯機７との間の距離Ｄを監視し、この距離Ｄに応じて、車載機６に対して行う近距離無線通信の間欠周期Ｃを調整する間欠周期調整部２４を備えるようにしている。【選択図】図２
2014152457.tif 000002
【特許請求の範囲】
【請求項１】
車両に搭載されて、少なくとも車両のドアロック機構を操作する車載機と、
ユーザーによって携帯可能とされて、前記車載機との間で無線通信可能な携帯機と、を備えた車両用キーレスシステムにおいて、
前記携帯機が、前記車載機と間欠周期を有して近距離無線通信を行うように構成され、
前記車両と、前記車載機と、前記携帯機とのうち、少なくとも携帯機が、前記車両の位置と、前記携帯機の位置とを衛星測位システムを使って測定可能な少なくとも１つの測位部を備えて、
前記携帯機が、前記測位部で測定した前記車両の位置と前記携帯機の位置とに基づいて、前記車両と前記携帯機との間の距離を監視し、
該距離に応じて、前記車載機に対して行う近距離無線通信の間欠周期を調整する間欠周期調整部を備えたことを特徴とする車両用キーレスシステム。
【請求項２】
前記間欠周期調整部が、
前記測位部で測定した前記車両の位置を記憶する車両位置記憶部と、
該車両位置記憶部に記憶した前記車両の位置と、前記測位部で測定した前記携帯機の位置とに基づいて、前記車両と前記携帯機との間の距離を監視する距離監視部と、
該距離監視部で監視している前記距離に応じて、前記車載機に対して行う近距離無線通信の間欠周期を変更する間欠周期設定部と、を備えたことを特徴とする請求項１に記載の車両用キーレスシステム。
【請求項３】
少なくとも運転終了時に、
前記車両の位置を、前記車両または前記車載機に設置された測位部で測定し、
前記車載機は、測定した前記車両の位置を前記携帯機へ送信すると共に、
前記携帯機は、送信された前記車両の位置を記憶することを特徴とする請求項１または請求項２に記載の車両用キーレスシステム。
【請求項４】
少なくとも運転終了時に、
前記車両の位置を、前記携帯機に設置された測位部で測定し、
前記携帯機は、測定した前記車両の位置を記憶することを特徴とする請求項１または請求項２に記載の車両用キーレスシステム。
【請求項５】
少なくとも車両の位置が変更された時に、
前記携帯機は、変更後の車両の位置を、当該携帯機に設置された測位部で測定して、前記車載機に登録された他の携帯機へ送信し得るように構成され、
他の携帯機は、記憶している車両の位置を、前記携帯機によって送信された変更後の車両の位置に書き換えるように構成されたことを特徴とする請求項１ないし請求項４のいずれか１項に記載の車両用キーレスシステム。
【請求項６】
少なくとも車両の位置が変更された時に、
前記車載機が、変更後の車両の位置、或いは、車両の位置が変更されたことを、
前記車載機に登録された他の携帯機へ送信し得るように構成され、
他の携帯機は、記憶している車両の位置を、
前記車載機によって送信された変更後の車両の位置に書き換えるか、
前記車載機が記憶している変更後の車両の位置を受信して、当該変更後の車両の位置に書き換えるか、
或いは、
当該携帯機に設置された測位部で変更後の車両の位置を測定し直して、当該測定した車両の位置に書き換えるかすることを特徴とする請求項１ないし請求項４のいずれか１項に記載の車両用キーレスシステム。
【請求項７】
前記携帯機は、
前記測位部で測定した携帯機の位置が、
前記車両との前記近距離無線通信の通信エリア外に出た時に前記近距離無線通信を停止し、
前記車両との前記近距離無線通信の通信エリア内に入った時に前記近距離無線通信を開始することを特徴とする請求項１ないし請求項６のいずれか１項に記載の車両用キーレスシステム。
【請求項８】
前記近距離無線通信装置が、携帯機に搭載されたブルートゥース通信装置（BlueTooth（登録商標））であり、
前記測位部が、少なくとも前記携帯機に搭載されたＧＰＳ装置であることを特徴とする請求項１ないし請求項７のいずれか１項に記載の車両用キーレスシステム。
【請求項９】
前記携帯機は、前記車両と前記携帯機との間の距離に応じて、前記測位部による前記携帯機の位置の測位の間欠周期を調整させるようにしたことを特徴とする請求項８に記載の車両用キーレスシステム。
【請求項１０】
前記携帯機が、前記近距離無線通信装置および前記測位部を備えた多機能携帯端末、多機能携帯電話、専用携帯端末のいずれかであることを特徴とする請求項１ないし請求項９のいずれか１項に記載の車両用キーレスシステム。
【請求項１１】
前記車載機は、運転終了を、
車速０信号、シフトＰレンジ信号、パーキングブレーキ信号、エンジン停止信号、イグニッションオフ信号、アクセサリースイッチオフ信号、ドアロック信号、ドア開閉信号、
のうちの少なくとも１つによって検知するよう構成されたことを特徴とする請求項１ないし請求項１０のいずれか１項に記載の車両用キーレスシステム。
【発明の詳細な説明】
【技術分野】
【０００１】
この発明は、携帯機と車載機との間で通信を行うようにした車両用キーレスシステムに関し、特に、携帯機が、車載機と間欠周期を有して近距離無線通信を行う場合に、携帯機の電力消耗を抑制させるようにした車両用キーレスシステムに関するものである。
【背景技術】
【０００２】
自動車などの車両では、鍵穴に鍵を差し込まなくてもドアロックを操作できるようにした車両用キーレスシステムを装備することが普及しつつある（例えば、特許文献１参照）。
【０００３】
このような車両用キーレスシステムでは、ユーザーがドアロックを操作するための何らかの電子キー（インテリジェントキー）を身に着けておくことが必要となる。
【０００４】
一方、携帯電話の分野では、小型パソコンとしての優れた情報処理機能を備えたスマートフォンなどの多機能携帯通信端末の普及が急速に進んでいる。
【先行技術文献】
【特許文献】
【０００５】
【特許文献１】特開２０１２−１８４６０９号公報
【発明の概要】
【発明が解決しようとする課題】
【０００６】
上記したように、車両用キーレスシステムの電子キーは、運転を行う際にユーザーが身に着けておくことが必要であるため、運転の度に電子キーを自宅から持ち出す必要があると共に、外出中に電子キーを管理し続けていなければならず、便利な反面、煩わしさも有しているという問題があった。
【０００７】
これに対し、携帯電話（多機能携帯通信端末を含む）は、既に、必需品として日常生活に深く浸透しているため、常に身に着けておくことがもはや当たり前のものとなっている。
【０００８】
そこで、優れた機能を満載している多機能携帯通信端末を、上記した車両用キーレスシステムの電子キーとして使用することが考えられるが、多機能携帯通信端末は、車両用キーレスシステムの電子キーに採用されている通信規格（例えば、ＬＦ波（長波）やＵＨＦ波（短波）を使った無線通信など）を備えていないタイプのものが多いため、そのままでは電子キーとして使用することができないという問題があった。
【課題を解決するための手段】
【０００９】
上記課題を解決するために、請求項１に記載された発明は、
車両に搭載されて、少なくとも車両のドアロック機構を操作する車載機と、
ユーザーによって携帯可能とされて、前記車載機との間で無線通信可能な携帯機と、を備えた車両用キーレスシステムにおいて、
前記携帯機が、前記車載機と間欠周期を有して近距離無線通信を行うように構成され、
前記車両と、前記車載機と、前記携帯機とのうち、少なくとも携帯機が、前記車両の位置と、前記携帯機の位置とを衛星測位システムを使って測定可能な少なくとも１つの測位部を備えて、
前記携帯機が、前記測位部で測定した前記車両の位置と前記携帯機の位置とに基づいて、前記車両と前記携帯機との間の距離を監視し、
該距離に応じて、前記車載機に対して行う近距離無線通信の間欠周期を調整する間欠周期調整部を備えたことを特徴とする。
請求項２に記載された発明は、上記において、
前記間欠周期調整部が、
前記測位部で測定した前記車両の位置を記憶する車両位置記憶部と、
該車両位置記憶部に記憶した前記車両の位置と、前記測位部で測定した前記携帯機の位置とに基づいて、前記車両と前記携帯機との間の距離を監視する距離監視部と、
該距離監視部で監視している前記距離に応じて、前記車載機に対して行う近距離無線通信の間欠周期を変更する間欠周期設定部と、を備えたことを特徴とする。
請求項３に記載された発明は、上記において、
少なくとも運転終了時に、
前記車両の位置を、前記車両または前記車載機に設置された測位部で測定し、
前記車載機は、測定した前記車両の位置を前記携帯機へ送信すると共に、
前記携帯機は、送信された前記車両の位置を記憶することを特徴とする。
請求項４に記載された発明は、上記において、
少なくとも運転終了時に、
前記車両の位置を、前記携帯機に設置された測位部で測定し、
前記携帯機は、測定した前記車両の位置を記憶することを特徴とする。
請求項５に記載された発明は、上記において、
少なくとも車両の位置が変更された時に、
前記携帯機は、変更後の車両の位置を、当該携帯機に設置された測位部で測定して、前記車載機に登録された他の携帯機へ送信し得るように構成され、
他の携帯機は、記憶している車両の位置を、前記携帯機によって送信された変更後の車両の位置に書き換えるように構成されたことを特徴とする。
請求項６に記載された発明は、上記において、
少なくとも車両の位置が変更された時に、
前記車載機が、変更後の車両の位置、或いは、車両の位置が変更されたことを、
前記車載機に登録された他の携帯機へ送信し得るように構成され、
他の携帯機は、記憶している車両の位置を、
前記車載機によって送信された変更後の車両の位置に書き換えるか、
前記車載機が記憶している変更後の車両の位置を受信して、当該変更後の車両の位置に書き換えるか、
或いは、
当該携帯機に設置された測位部で変更後の車両の位置を測定し直して、当該測定した車両の位置に書き換えるかすることを特徴とする。
請求項７に記載された発明は、上記において、
前記携帯機は、
前記測位部で測定した携帯機の位置が、
前記車両との前記近距離無線通信の通信エリア外に出た時に前記近距離無線通信を停止し、
前記車両との前記近距離無線通信の通信エリア内に入った時に前記近距離無線通信を開始することを特徴とする。
請求項８に記載された発明は、上記において、
前記近距離無線通信装置が、携帯機に搭載されたブルートゥース通信装置（BlueTooth（登録商標））であり、
前記測位部が、少なくとも前記携帯機に搭載されたＧＰＳ装置であることを特徴とする。
請求項９に記載された発明は、上記において、
前記携帯機は、前記車両と前記携帯機との間の距離に応じて、前記測位部による前記携帯機の位置の測位の間欠周期を調整させるようにしたことを特徴とする。
請求項１０に記載された発明は、上記において、
前記携帯機が、前記近距離無線通信装置および前記測位部を備えた多機能携帯端末、多機能携帯電話、専用携帯端末のいずれかであることを特徴とする。
請求項１１に記載された発明は、上記において、
前記車載機は、運転終了を、
車速０信号、シフトＰレンジ信号、パーキングブレーキ信号、エンジン停止信号、イグニッションオフ信号、アクセサリースイッチオフ信号、ドアロック信号、ドア開閉信号、
のうちの少なくとも１つによって検知するよう構成されたことを特徴とする。
【発明の効果】
【００１０】
請求項１に記載された発明によれば、上記構成によって、以下のような作用効果を得ることができる。即ち、車両と携帯機との間の距離に応じて、携帯機の無線通信の間欠周期を調整することにより、近距離無線通信による電力の消耗を防止して、携帯機の電池容量の減少や電池切れなどを抑制することができる。
また、車両と携帯機との間の距離に応じて、携帯機の無線通信の間欠周期を調整することにより、ドアロック機構を操作する際における、応答性の低下を防止することができる。
特に、車両と携帯機との間の距離が近い場合に間欠周期を短くし、車両と携帯機との間の距離が遠い場合に間欠周期を長くすることにより、上記効果を有効に発揮させることができる。
請求項２に記載された発明によれば、上記構成によって、以下のような作用効果を得ることができる。即ち、車両位置記憶部は、測位部で測定した車両の位置を記憶する。
距離監視部は、車両位置記憶部に記憶した車両の位置と、測位部で測定した携帯機の位置とに基づいて、車両と携帯機との間の距離を監視する。
間欠周期設定部は、距離監視部で監視している車両と携帯機との間の距離に応じて、車載機に対して行う近距離無線通信の間欠周期を変更する。
このようにすることにより、携帯機の近距離無線通信の間欠周期の調整を具体的に実施できる構成を得ることができる。
請求項３に記載された発明によれば、上記構成によって、以下のような作用効果を得ることができる。即ち、少なくとも運転終了時に、車両または車載機に設置された測位部で車両の位置を測定する。そして、車載機は、測定した車両の位置を携帯機へ送信する。携帯機は、車載機から送信された車両の位置を記憶する。このようにすることにより、車両側の測位部によって車両の位置を測定し、上記した機能（携帯機の近距離無線通信の間欠周期の調整）を実現することができるようになる。
請求項４に記載された発明によれば、上記構成によって、以下のような作用効果を得ることができる。即ち、少なくとも運転終了時に、携帯機に設置された測位部で車両の位置を測定する。
そして、携帯機は、測定した車両の位置を記憶する。このようにすることにより、車両側に測位部が設けられていないような場合であっても、携帯機が有する測位部によって車両の位置を測定することができるので、携帯機の測位部のみによって車両の位置を測定し、上記した機能（携帯機の近距離無線通信の間欠周期の調整）を実現することができるようになる。
請求項５に記載された発明によれば、上記構成によって、以下のような作用効果を得ることができる。即ち、少なくとも車両の位置が変更された時に、携帯機（運転に使用された携帯機）は、変更後の車両の位置を、当該携帯機に設置された測位部で測定して、車載機に登録された他の携帯機へ送信する。
そして、他の携帯機は、記憶している車両の位置を、上記携帯機（運転に使用された携帯機）によって送信された変更後の車両の位置に書き換える。
このようにすることにより、車両の位置の変更があった場合でも、登録された他の携帯機に対して有効な位置変更対策を行わせることができる。しかも、携帯機どうしで、車両の位置の変更を通報し合うようにしているので、車載機の負担を減らすことができる。
請求項６に記載された発明によれば、上記構成によって、以下のような作用効果を得ることができる。即ち、少なくとも車両の位置が変更された時に、車載機が、変更後の車両の位置、或いは、車両の位置が変更されたことを、車載機に登録された他の携帯機へ送信する。
そして、他の携帯機は、記憶している車両の位置を、車載機によって送信された変更後の車両の位置に書き換える。または、他の携帯機は、車載機が記憶している変更後の車両の位置を受信して、当該変更後の車両の位置に書き換える。或いは、他の携帯機は、当該携帯機に設置された測位部で変更後の車両の位置を測定し直して、当該測定した車両の位置に書き換える。
このようにすることにより、車両の位置の変更があった場合でも、登録された他の携帯機に対して有効な位置変更対策を行わせることができる。
請求項７に記載された発明によれば、上記構成によって、以下のような作用効果を得ることができる。即ち、携帯機は、測位部で測定した携帯機の位置が、車両との近距離無線通信の通信エリア外に出た時に近距離無線通信を停止し、車両との近距離無線通信の通信エリア内に入った時に近距離無線通信を開始する。これにより、通信エリア外では、近距離無線通信を停止する分だけ、携帯機の電池の消費量を少なくすることができる。また、携帯機の位置は、携帯機自身の測位部で測定できるので、通信エリア内に入った時に確実に近距離無線通信を開始（再開）させることができる。よって、車両と携帯機との間の近距離無線通信に影響を及ぼすことが防止される。
請求項８に記載された発明によれば、上記構成によって、以下のような作用効果を得ることができる。即ち、近距離無線通信装置が、携帯機に搭載されたブルートゥース通信装置（BlueTooth（登録商標））であることにより、近年急速に普及されているブルートゥース通信装置（BlueTooth（登録商標））をそのまま利用してドアロック装置の操作を行わせるようにすることができる。
測位部が、少なくとも携帯機に搭載されたＧＰＳ装置であることにより、携帯機の位置を、ＧＰＳ装置を用いて正確に測定することができる。このＧＰＳ装置は、現在、我が国で最も普及されているものなので、測位部に用いるのには、最も便宜が良い。なお、車両の位置は、上記したような、車両に搭載されたＧＰＳ装置や、携帯機に搭載されたＧＰＳ装置によって測定することができる。
請求項９に記載された発明によれば、上記構成によって、以下のような作用効果を得ることができる。即ち、携帯機が、車両と携帯機との間の距離に応じて、測位部による携帯機の位置の測位の間欠周期（測位周期）を調整することにより、携帯機の電力の消耗をより一層抑えることができるようになる。
請求項１０に記載された発明によれば、上記構成によって、以下のような作用効果を得ることができる。即ち、近距離無線通信装置や測位部を備えていれば、多機能携帯端末や、多機能携帯電話や、専用携帯端末などの各種の携帯機によってドアロック装置の操作を行わせ得るようにすることができる。これにより、例えば、スマートフォンなどを車両用キーレスシステムの携帯機として使用することが可能となり、スマートフォンの用途を拡げると共に、外出時の持ち物の数を減らすことができる。
請求項１１に記載された発明によれば、上記構成によって、以下のような作用効果を得ることができる。即ち、車速０信号、シフトＰレンジ信号、パーキングブレーキ信号、エンジン停止信号、イグニッションオフ信号、アクセサリースイッチオフ信号、ドアロック信号、ドア開閉信号、のうちの少なくとも１つを用いることにより、車載機は、運転停止を確実に検知することができる。また、ドアの開閉や降車なども検知することができる。
【図面の簡単な説明】
【００１１】
【図１】本発明の実施例にかかる車両用キーレスシステムの概略全体構成図である。
【図２】図１の車両用キーレスシステムの構成を示すブロック図である。
【図３】近距離無線通信の通信エリアを示す平面図である。
【図４】距離と間欠周期との関係を示すグラフである。
【図５】変形例にかかる距離と間欠周期との関係を示すグラフである。
【図６】車載機の動きと携帯機の動きとの関係を示すシーケンス図である。
【図７】車載機の動きを示すフローチャートである。
【図８】携帯機の動きを示すフローチャートである。
【発明を実施するための形態】
【００１２】
以下、本実施の形態、および、それを具体化した実施例を、図面を用いて詳細に説明する。
図１〜図８は、この実施例およびその変形例を示すものである。
【実施例１】
【００１３】
＜構成＞以下、構成について説明する。
図１に示すように、自動車などの車両１に対して、鍵穴に鍵を差し込まなくてもドアロックを操作できるようにした車両用キーレスシステム２を装備する。
【００１４】
この車両用キーレスシステム２は、車両１に搭載されて、少なくとも車両１のドアロック機構５を操作可能な車載機６と、ユーザー（乗員など）によって携帯可能とされて、車載機６との間で無線通信を行う携帯機７と、を備えている。
【００１５】
ここで、補足説明をすると、上記した「車両１」は、主に公道を走行可能な自動車（乗用車やバスやトラックなど）を対象としているが、車両用キーレスシステム２によって操作されるドアロック機構５を有していれば、これに限るものではない。
【００１６】
上記した「車両用キーレスシステム２」には、各種のものが存在している。
【００１７】
この場合には、車両１の外側部分にトリガースイッチ３が設置されると共に、このトリガースイッチ３からのトリガー信号４を車載機６へ入力して、トリガー信号４に基づいてドアロック機構５の自動操作を行わせるようにしたパッシブ型のものとしているが、車両用キーレスシステム２の構成は、これに限るものではない。
【００１８】
例えば、トリガースイッチ３を用いずに、車載機６と携帯機７との間の無線通信のみでドアロック機構５の自動操作を行わせるようにしたものや、または、携帯機７にロック操作ボタンが設けられて、ロック操作ボタンの操作をトリガーとしてドアロック機構５の自動操作を行わせるようにしたものなどとすることができる。
【００１９】
なお、図１では、運転席側のみに対して、トリガースイッチ３などが設けられているが、助手席側などに対してもトリガースイッチ３などを設けるようにしても良い。
【００２０】
上記した「トリガースイッチ３」は、文字通り、ドアロック機構５を操作する時にトリガーとして使用されるスイッチのことである。即ち、ドアロック機構５が施錠状態の時にトリガースイッチ３を操作することによって解錠状態となり、反対に、ドアロック機構５が解錠状態の時にトリガースイッチ３を操作することによって施錠状態となるようにするためのきっかけとなる信号（トリガー信号４）を発生するためのスイッチである。このトリガースイッチ３は、例えば、リクエストスイッチなどと呼ばれるものである。このトリガースイッチ３は、機械式のスイッチや、センサー類や、その他のものなどとすることができる。
【００２１】
上記した「トリガー信号４」は、文字通り、トリガースイッチ３から発生される信号のことであり、ドアロック機構５の状態によって、施錠用トリガーまたは開錠用トリガーとなるものである。トリガー信号４のオン・オフは、車載機６（の後述する記憶装置１２（図２参照）におけるフラグ領域）にセットされる。
【００２２】
上記した「ドアロック機構５」は、特に詳細には図示しないが、車両１のドアの内部に設けられた機械式のロック機構部と、このロック機構部を駆動するドアロックアクチュエーターなどの駆動装置とを備えている。
【００２３】
上記した「車載機６」は、文字通り、車両１に搭載された、ドアロック機構５のための制御器のことである。この制御器は、少なくとも、制御装置と、制御用プログラムとを有するものとされる。
【００２４】
制御装置には、図２に示すように、少なくとも、ＣＰＵやワンチップマイコンなどを備えた処理ユニット１１と、メモリなどの記憶装置１２とが含まれる。
【００２５】
記憶装置１２には、少なくとも、上記した制御用プログラムを格納したり展開したりするためのプログラム領域や、制御用プログラムが処理や作業を行う際に使用するための作業領域や、後述する各種のデータ（例えば、車載機６の位置や携帯機７の位置など）や車載機６および（複数の）携帯機７の識別コード（車載機６ＩＤおよび携帯機７ＩＤ）などを記憶するためのデータ記憶領域や、車両１、車載機６、携帯機７、トリガースイッチ３などの各種の状態を監視するためのフラグをセットするようにしたフラグ領域などが設けられる。
【００２６】
制御用プログラムには、車両用キーレスシステム２としての基本的な機能である、車載機６と携帯機７との間で無線通信を行ってドアロック機構５を解錠または施錠する機能、を実施するための基本機能部１３と、それ以外の特定の機能などを実施するための特定機能部１４とが設定される。このような基本機能部１３と、特定機能部１４とは、制御用プログラムによって、処理ユニット１６の内部に構築される。
【００２７】
また、上記した車載機６は、ドアロック機構５を操作する以外にも、イベントとして、車両１に設けられた警報装置１５などを、警報や注意喚起のため、または、例えば、歓迎の意思表示を行うため、などの様々な目的で作動させるようにすることができる。警報装置１５の作動は、ドアロック機構５の操作と連携して行わせたり、ドアロック機構５の操作とは連携せずに単独で行わせたりすることができる。このような警報装置１５には、例えば、ターンシグナルランプおよびハザードランプなどのランプ類１５ａ（およびそのコントローラ）や、車外ブザー１５ｂなどがある。これらは、個別にまたは同時に作動させることができる。
【００２８】
上記した「携帯機７」は、文字通り、ユーザーによって携帯されるようにした、持ち運び可能な端末装置である。この携帯機７は、少なくとも、制御装置と、制御用プログラムとを有するものとされる。
【００２９】
制御装置には、少なくとも、ＣＰＵやワンチップマイコンなどを備えた処理ユニット１６と、メモリなどの記憶装置１７とが含まれる。
【００３０】
記憶装置１７には、少なくとも、上記した制御用プログラムを格納したり展開したりするためのプログラム領域や、制御用プログラムが処理や作業を行う際に使用するための作業領域や、後述する各種のデータ（例えば、車載機６の位置や携帯機７の位置など）や車載機６および（複数の）携帯機７の識別コード（車載機ＩＤおよび携帯機ＩＤ）などを記憶するためのデータ記憶領域や、車両１、車載機６、携帯機７、トリガースイッチ３などの各種の状態を監視するためのフラグをセットするようにしたフラグ領域などが設けられる。
【００３１】
制御用プログラムには、車両用キーレスシステム２としての基本的な機能である、車載機６と携帯機７との間で無線通信を行ってドアロック機構５を解錠または施錠する機能、を行わせるための基本機能部１８と、それ以外の補助的な機能を実行するための補助機能部１９とが設定される。このような基本機能部１８と、特定機能部１９とは、制御用プログラムによって、処理ユニット１６の内部に構築される。
【００３２】
上記した携帯機７は、主に、ドアロック機構５を操作するための機能（ドアロック機能）を有するものであるが、例えば、車両１のエンジンキーとしての機能（エンジンキー機能）を有していても良い。なお、車両１のエンジンキーには、通常の鍵（メカキーなど）を使用することができるのは勿論である。
【００３３】
また、上記した携帯機７には、表示装置７ａや、入力装置７ｂが設けられる。この場合、表示装置７ａは、液晶表示装置や有機ＥＬ表示装置などのモニタ装置とされている。表示装置７ａには、例えば、携帯機７の表面のほぼ全面を覆うような大型のモニタ装置を使うことができる。表示装置７ａには、例えば、地図や、キーボードや、ソフトウエアの操作ボタンなどの表示画面や入力画面を表示することができる。また、入力装置７ｂは、透明なタッチセンサーパネルとされている。そして、このタッチセンサーパネルは、モニタ装置の表面に設置されることにより、入力と表示とが可能なタッチパネルを構成している。
【００３４】
「車載機６と携帯機７との間の無線通信」は、それぞれ互いの識別コード（車載機ＩＤおよび携帯機ＩＤ）を含むものとされる。車載機６は、複数の携帯機７を記憶装置１２のデータ記憶領域に登録することができると共に、登録した複数の携帯機７に優先順位を付けることができるようになっている。車載機６と携帯機７との間は、予め接続設定（ペアリング）がなされている。また、携帯機７は、車載機６に登録された他の携帯機７を記憶して識別できるようにするために、記憶装置１７のデータ記憶領域に他の携帯機７の識別コード（携帯機ＩＤ）を登録させるようにしても良い。
【００３５】
車載機６は、例えば、トリガースイッチ３からのトリガー信号４を入力した時に、携帯機７へ向けて車載機６自身の識別コード（車載機ＩＤ）を含む要求信号ｒｅｑを送信するようになっている。
【００３６】
また、携帯機７は、一定周期ごとに車載機６からの要求信号ｒｅｑを受信しに行くようになっており、車載機６からの要求信号ｒｅｑを受信して車載機６の識別コードを確認した時に、車載機６へ向けて携帯機７自身の識別コード（携帯機ＩＤ）を含む応答信号ａｎｓを送信するようになっている。そして、車載機６は、受信した応答信号ａｎｓに携帯機７の識別コードを確認すると、無線通信が正しく確立したものとして、ドアロック機構５を操作するようになっている。
【００３７】
或いは、車載機６が一定周期ごとに常時要求信号ｒｅｑを送信し、携帯機７が（車載機６のものとは異なる独自の）一定周期ごとに車載機６からの要求信号ｒｅｑを受信して、上記したように車載機６と携帯機７との間で無線通信が正しく確立した後に、車載機６がトリガースイッチ３からのトリガー信号４が入力されるのを待って、ドアロック機構５を操作させるような作動手順としても良い。
【００３８】
そして、上記したいずれの場合にも、車載機６および携帯機７は、それぞれの独自の作動周期に従って作動されるようになっている。
【００３９】
以上は、車両用キーレスシステム２としての基本的な機能（基本機能部１３および基本機能部１８による機能）である。
【００４０】
なお、車載機６と携帯機７とは、無線通信の確立後に、後述するような、補助的な機能を実行するために、上記とは異なる通信（例えば、データのやり取りや、指令信号の送信など）を行うことができる。
【００４１】
そして、以上のような基本構成に対し、この実施例のものでは、以下のような構成を備えるようにしている。
【００４２】
（構成１）
上記携帯機７が、上記車載機６と間欠周期Ｃを有して近距離無線通信を行うように構成される。
そして、上記車両１と、上記車載機６と、上記携帯機７とのうち、少なくとも携帯機７が、上記車両１の位置と、上記携帯機７の位置とを衛星測位システムを使って測定可能な少なくとも１つの測位部２１〜２３を備えるようにする。
上記携帯機７が、上記測位部２１〜２３で測定した上記車両１の位置と上記携帯機７の位置とに基づいて、上記車両１と上記携帯機７との間の距離Ｄを監視し、この距離Ｄに応じて、上記車載機６に対して行う近距離無線通信の間欠周期Ｃを調整する間欠周期調整部２４を備えるようにする。
【００４３】
（補足説明１）
ここで、上記した「携帯機７」は、運転に使用された携帯機７と、運転に使用されなかった携帯機７との両方を含むものとする。或いは、車載機６に登録された全ての携帯機７を対象とする。
【００４４】
上記した「間欠周期Ｃ」は、上記した携帯機７独自の作動周期（通信周期）のことである。携帯機７の間欠周期Ｃを短くすると、車両用キーレスシステム２の応答性が高く（良好に）なり、反対に、携帯機７の間欠周期Ｃを長くすると、車両用キーレスシステム２の応答性が低下する。反面、携帯機７の間欠周期Ｃを短くすると、携帯機７の電力（電池）の消耗が大きくなり、反対に、携帯機７の間欠周期Ｃを長くすると、携帯機７の電力の消耗が抑えられる。
【００４５】
上記した「近距離無線通信」は、文字通り、近距離での通信に適した無線通信のことである。そのために、車載機６と携帯機７とは、それぞれ近距離無線通信部２５，２６を備えるようにする。この近距離無線通信部２５，２６は、それぞれ、送信部２５ａ，２６ａと、受信部２５ｂ，２６ｂと、アンテナ部２５ｃ，２６ｃと、を備えている。
【００４６】
この場合、近距離無線通信は、通信エリアＸ（図３参照）が、概ね数ｍ〜数十ｍ程度以下のものを想定している。上記した近距離無線通信には、BlueTooth（登録商標）や、Ｗｉ−Ｆｉや、ＺｉｇＢｅｅや、無線ＬＡＮなどの、各種のものが知られている。
【００４７】
上記した「車両１の位置」は、文字通り、車両１の運転終了時の位置のことである。運転終了は、運転終了判断部２７によって判断される。運転終了判断部２７については後述する。また、車両１の位置は、主に、車両位置測定部２８（または、車両位置測定指示部）によって測定される。測定した車両１の位置は、車載機６の記憶装置１２のデータ記憶領域に記憶するようにしても良い。車両位置測定部２８については後述する。運転終了判断部２７および車両位置測定部２８は、車載機６に設けられる。
【００４８】
上記した「携帯機７の位置」は、文字通り、携帯機７の現在位置である。携帯機７の位置は、携帯機位置測定部２９によって測定される。携帯機位置測定部２９は、携帯機７の測位部２３に、携帯機７の位置を測定させるようにするためのものである。測定した携帯機７の位置は、携帯機７の記憶装置１７のデータ記憶領域に記憶するようにしても良い。
【００４９】
上記した「測位部２１〜２３（衛星測位部２１〜２３）」は、文字通り、衛星測位システムを利用して位置を測定するためのものである。衛星測位システムには米国のＧＰＳ（Global Positioning System：全地球測位システム）や、欧州のガリレオ（測位システム）（Galileo（positioning system））など、各種のものが存在している。
【００５０】
測位部２１は、車両１に搭載されたカーナビゲーションシステム３１のものを用いることができる。この場合には、車載機６は、カーナビゲーションシステム３１との間で通信（無線通信または有線通信）ができるようにする。なお、カーナビゲーションシステム３１は、外部の無線通信網（例えば、道路交通情報ネットワーク）などに対して通信可能な通信モジュール３２を備えたものであるのが好ましい。
【００５１】
測位部２２は、車載機６に対しては、設けても良いし、または、設けなくても良い。
【００５２】
測位部２３は、携帯機７（後述する多機能携帯端末など）に装備されているのが好ましい。この実施例では、少なくとも１つの携帯機７が測位部２３を備えていることが必要となる。
【００５３】
なお、後述するように、携帯機７が測位部２３によって携帯機７の位置（や車両１の位置）を測定する場合には、携帯機７の電力を消費することになるので、携帯機７の電力の消耗を抑えるために、測位部２３による測位は、間欠的なものとするのが好ましい。即ち、測位部２３による測位は、間欠周期（測位周期）を有して行うのが好ましい。
【００５４】
上記した「間欠周期調整部２４」は、文字通り、上記した携帯機７の、車載機６に対する近距離無線通信の間欠周期Ｃを調整するための機構である。間欠周期調整部２４については後述する。
【００５５】
この場合、図３、図４に示すように、近距離無線通信の通信エリアＸ内で、車両１と携帯機７との間の距離Ｄが近い場合（内側エリアＸ１）に間欠周期Ｃを短くし（Ｃ１）、車両１と携帯機７との間の距離Ｄが遠い場合（外側エリアＸ２）に間欠周期Ｃを長くする（Ｃ２）ように構成するのが好ましい。なお、車両１と携帯機７との間の距離Ｄを示す地図など（図３のようなもの）を、表示装置７ａに表示させるようにしても良い。
【００５６】
なお、上記した内側エリアＸ１は、ユーザーが速やかに車両１へ近寄れる程度の短い距離Ｄ１を半径とする円の内部などとされる。例えば、半径５ｍ程度以下の範囲などとすることができる。但し、内側エリアＸ１の大きさは、５ｍに限るものではない。
【００５７】
短い間欠周期Ｃ１は、例えば、車両用キーレスシステム２の応答性が悪くならないような周期に設定される。この短い間欠周期Ｃ１が、本来予定している通常モードである。
【００５８】
長い間欠周期Ｃ２は、例えば、車両用キーレスシステム２の応答性が若干悪くなっても、電力の消耗を有効に抑えられるような周期に設定される。この長い間欠周期Ｃ１が、節電モードまたは省エネモードである。
【００５９】
なお、図４では、短い間欠周期Ｃ１と長い間欠周期Ｃ２との２段階の値を取るようになっているが、３段階以上の多段階の値としたり、近い側から遠い側へ向かって無段階に連続的に変化する（長くなる）値としたりすることもできる。
【００６０】
（構成２）
図２に示すように、上記間欠周期調整部２４が、上記測位部２１〜２３で測定した上記車両１の位置を記憶する車両位置記憶部３５（または、車両位置測定記憶部）と、
上記車両位置記憶部３５に記憶した上記車両１の位置と、上記測位部２１〜２３で測定した上記携帯機７の位置とに基づいて、上記車両１と上記携帯機７との間の距離Ｄを監視する距離監視部３６と、
この距離監視部３６で監視している上記距離Ｄに応じて、上記車載機６に対して行う近距離無線通信の間欠周期Ｃを変更する間欠周期設定部３７と、を備えるようにする。
【００６１】
（補足説明２）
ここで、上記した「車両位置記憶部３５」は、文字通り、測定した車両１の位置を携帯機７の記憶装置１７のデータ記憶領域に記憶させるようにしたものである。車両１の位置の測定は、主に、車両位置測定部２８からの指示または指令によって行わせるようにする。
【００６２】
上記した「距離監視部３６」は、文字通り、車両１と携帯機７との間の距離Ｄを継続的に算出すると共に、得られた距離Ｄを継続的に監視するためのものである。
【００６３】
上記した「間欠周期設定部３７」は、文字通り、間欠周期Ｃを設定するものである。間欠周期Ｃの設定は、例えば、特定の値（上記した短い距離Ｄ１）を閾値（間欠周期設定用閾値）として、監視している距離Ｄと閾値（短い距離Ｄ１）との大小関係によって間欠周期Ｃを設定するようにしても良いし、または、距離Ｄと間欠周期Ｃとの関係を定めた制御テーブルを予め設けておき、制御テーブルに従って間欠周期Ｃを設定するものとしても良い。なお、上記した閾値や制御テーブルは、携帯機７の制御プログラムに定義しておいても良いし、携帯機７の記憶装置のデータ記憶領域に記憶させておくようにしても良い。また、閾値や制御テーブルは、後から変更し得るようにしても良い。
【００６４】
なお、このようなこの実施例の機能は、主に、携帯機７のハードウェア（制御装置）やソフトウェア（制御用プログラム）を利用して構成することができる。
【００６５】
但し、車載機６と携帯機７とで、分散処理し得るようなものとすることも可能である。
【００６６】
更に、この実施例における車載機６の機能や、携帯機７の機能は、その一部または全てを、ネットワーク上のクラウドコンピューターサービスを利用して代行させることも可能である。この場合、「車載機６」または「携帯機７」には、ネットワーク上のクラウドコンピューターが含まれるものとする。このように、クラウドコンピューターサービスを利用することにより、例えば、ネットワーク上で各種の位置情報を共有したり、車載機６と携帯機７との間の位置情報の交換や、携帯機７どうしの位置情報の交換などを、より容易に行ったりすることができるようになる。
【００６７】
なお、クラウドコンピューターサービスを利用するためには、「車載機６」および「携帯機７」は、それぞれネットワークに接続し得るようにする。「車載機６」は、直接、または、上記したカーナビゲーションシステム３１を介して間接的にネットワーク（インターネットや道路交通情報ネットワークなど）に接続することができる。また、「携帯機７」は、自身が備えている通信機能などを利用してネットワーク（インターネットなど）に接続することができる。「車載機６」と「携帯機７」とが接続できるネットワークは、必ずしも同じでなくても良い。また、「車載機６」と「携帯機７」とが利用するクラウドコンピューターサービスは、必ずしも同じでなくても良い。
【００６８】
（構成３）
少なくとも運転終了時に、上記車両１の位置を、上記車両１または上記車載機６に設置された測位部２１，２２で測定し、上記車載機６は、測定した上記車両１の位置を上記携帯機７へ送信すると共に、上記携帯機７は、送信された上記車両１の位置を記憶するものとされる。
【００６９】
（補足説明３）
この構成は、主に、車両１側に測位部２１，２２が設けられている場合を対象としている。
【００７０】
ここで、上記した「運転終了時」は、文字通り、ユーザーが運転を終了した時という意味である。運転終了時は、上記した運転終了判断部２７によって判断される。運転終了判断部２７については、後述する。なお、運転終了時以外の時、例えば、一時的な停車時などを上記した運転終了時に含めて、車両１の位置を停車するごとに逐次測定して最新のものに更新するようにしても良い。
【００７１】
そして、車両位置測定部２８が、車両１側の測位部２１，２２で車両１の位置を測位させるようにする。
【００７２】
上記した「送信」は、車載機６やカーナビゲーションシステム３１の通信モジュール３２（または車載機６やカーナビゲーションシステム３１の機能を代行するクラウドコンピューターサービス）などから、携帯機７（または携帯機７の機能を代行するクラウドコンピューターサービス）へ送信することが広く含まれる。なお、以降の記載において、「送信」などの通信には、上記したような、クラウドコンピューターサービスによるものを含むことができるものとする。携帯機７どうしの送信についても同様である。
【００７３】
（構成４）
少なくとも運転終了時に、上記車両１の位置を、上記携帯機７に設置された測位部２３で測定し、上記携帯機７は、測定した上記車両１の位置を記憶するものとされる。
【００７４】
（補足説明４）
この構成は、主に、車両１側に測位部２１，２２が設けられていない場合を対象としている。但し、車両１側に測位部２１，２２が設けられていても良い。
【００７５】
運転終了時に、携帯機位置測定部２９が、携帯機７の測位部２３に測位させた携帯機７の位置を、車両１の位置として使用する。このようにしても、正確な車両１の位置を得ることができる。
【００７６】
なお、上記したような、車両１の位置の測定や測定指示などは、主に、車載機６に設けた車両位置測定部２８からの指示または指令によって行わせるようにする。車両１の位置を携帯機７で測定する場合には、上記した車両位置記憶部３５からの指示または指令によって行わせるようにすることができる。或いは、車載機６や携帯機７の基本機能部１３や基本機能部１８などによって、基本的な機能の範囲内のものとして、適宜または定期的に行わせるようにすることができる。
【００７７】
車両１の位置を携帯機７の測位部２３で測定した場合には、必要に応じて、車両１の位置を通信によって携帯機７から車載機６へ送るようにする。携帯機７から送られた車両１の位置は、車載機６の記憶装置１２のデータ記憶領域に記憶させておくようにするのが好ましい。
【００７８】
更に、運転終了時に、車載機６は、当該携帯機７（運転に使用された携帯機７）の他に、登録した全ての携帯機７へ、測定した車両１の位置を送信するようにしても良い。或いは、運転終了時に、車両１の位置を測定した当該携帯機７は、登録された他の携帯機７へ車両１の位置を直接転送して記憶を変更させるようにしても良い。以下、他の携帯機７への対応について説明する。
【００７９】
（構成５）
少なくとも車両１の位置が変更された時に、携帯機７（運転に使用された携帯機７）は、変更後の車両１の位置を、当該携帯機７に設置された測位部２３で測定して、車載機６に登録された他の携帯機７へ送信し得るように構成される。
そして、他の携帯機７は、記憶している車両１の位置を、上記携帯機７（運転に使用された携帯機７）によって送信された変更後の車両１の位置に書き換えるように構成される。
【００８０】
（補足説明５）
ここで、上記した「車両１の位置が変更」は、要するに、車両１が、記憶している位置から移動したことである。この車両１の位置の変更は、運転終了判断部２７によって判断される。この車両１の位置の変更は、別の携帯機７を利用して車両１の運転が行われた場合や、携帯機７を用いずに鍵（メカキーなど）を用いて車両１を運転した場合などに、他の携帯機７にとって問題になるものである。なお、鍵（メカキーなど）が、測位部２３を有していないのは勿論である。
【００８１】
上記した「変更後の車両１の位置」は、車両位置測定部２８（や、別の携帯機７の車両位置記憶部３５（車両位置測定部））によって測定の指示または指令が出され、測位部２１〜２３によって測定が実行される。
【００８２】
上記した「送信」は、近距離無線通信部２５，２６や、カーナビゲーションシステム３１の通信モジュール３２などによって行われる（クラウドコンピューターサービスも含む）。
【００８３】
上記した「車載機６に登録された他の携帯機７」は、運転に使用されていない携帯機７のことである。この場合、車載機６や携帯機７（他の携帯機７を含む）の識別コードは、上記したクラウドコンピューターサービスによって共用させるようにししても良い。
【００８４】
なお、上記した他の携帯機７（運転に使用されなかった携帯機７）は、車載機６や運転に供された携帯機７からの車両１の位置を受信した場合には、車両１との距離Ｄが近くなったのか、遠ざかったのかが一時的に不明となるので、少なくとも、車両１との距離Ｄの再計算が済むまでの間は、車両用キーレスシステム２の応答性が悪くならないように、例外的に、間欠周期Ｃを短い通常モードに一時的に戻すようにしても良い。車両１の位置の記憶が変更され、上記した距離Ｄの再計算が済んだ携帯機７は、変更後の車両１の位置に基づいて再び間欠周期Ｃの調整を行う。或いは、他の携帯機７は、実際に運転に使用されるまでの間は、車両１との距離Ｄが不明確なものとして、間欠周期Ｃを短い通常モードにリセットさせてしまうようにしても良い。上記は、以降の記載においても同様に行うことができる。
【００８５】
なお、上記した各場合において、車両１の位置を検出可能な測位部２１〜２３が、車両１や車載機６や携帯機７などに複数存在する場合には、これらのうちの最も精度の良いもののみを使用するようにしたり、複数の測位部２１〜２３でそれぞれ別個に測定して一定のタイミングでデータを（最も精度の良いものなどに）統一するようにしたり、それぞれが異なるタイミングで測定して一定のタイミングでデータを（最新のものに）更新したりすることなどができる。このような車両１の位置の修正や管理などは、ネットワーク上で上記したクラウドコンピューターサービスを利用して情報を共有するような場合に、最も有効に行うことができる。上記は、以降の記載においても同様に行うことができる。
【００８６】
（構成６）
上記したように、少なくとも車両１の位置が変更された時に、上記車載機６（または運転に使用された携帯機７でも良い）が、変更後の車両１の位置、或いは、車両１の位置が変更されたことを、上記車載機６に登録された他の携帯機７へ送信し得るように構成される。
そして、他の携帯機７は、記憶している車両１の位置を、
上記したように、上記車載機６によって送信された変更後の車両１の位置に書き換えるか（ケース１）、
上記車載機６が記憶している変更後の車両１の位置を受信して、当該変更後の車両１の位置に書き換えるか（ケース２）、
或いは、当該携帯機７に設置された測位部２３で変更後の車両１の位置を測定し直して、当該測定した車両１の位置に書き換えるか（ケース３）するように構成される。
【００８７】
（補足説明６）
ここで、上記した「車両１の位置が変更」「変更後の車両１の位置」「送信」については、上記と同じである。
【００８８】
上記した「車載機６に登録された他の携帯機７」は、運転に使用されていない携帯機７のことである。
【００８９】
そして、上記したケース１は、上記した構成３、構成４にて記載したものとほぼ同じである。この場合には、車載機６は、車両１の位置を記憶する必要をなくすことができる。
【００９０】
また、上記したケース２は、特に、車両１側に測位部２１，２２がない場合に、運転に使用した携帯機７の測位部２３で測位した車両１の位置を、車載機６に記憶しておき、車両１の位置が変更されたことのみを他の携帯機７へ送信する場合に相当する。
【００９１】
そして、上記したケース３は、特に、車両１側に測位部２１，２２がなく、且つ、鍵（メカキーなど）を用いて車両１の位置が変更された場合に、即ち、移動後の車両１の位置を測定することも記憶することもできない場合に、車両１の位置が変更されたことのみを他の携帯機７へ送信する場合に相当する。
【００９２】
上記した「車両１の位置を測定し直す」は、例えば、鍵（メカキーなど）で運転が行われて、車両１の位置が変更されたことのみが送信された場合などに、他の携帯機７が変更後の車両１の位置を測定し直す場合であるが、上記した構成だと、他の携帯機７に自動的に測定を行わせることができないので、他の携帯機７は、所持者（ユーザー）に対して、変更後の車両１の位置を測定する操作を行うよう促すことができるようにする。例えば、他の携帯機７が、後述するようなスマートフォン（多機能携帯電話）である場合、画面表示や音声信号などを通じて案内などを発生させるようにする。
【００９３】
そして、他の携帯機７のユーザーは、次に運転する際に、当該車両１に近づいた状態で、他の携帯機７（の表示画面などに表示されたアイコンや操作ボタンなど）を操作することにより、変更後の車両１の位置を測定させるようにする。
【００９４】
車両１の位置を測定した他の携帯機７は、車載機６に対して、測定した車両１の位置を記憶させるようにするのが好ましい。
【００９５】
なお、上記の手間をなくすために、鍵（メカキーなど）で運転が行われて、車両１の位置が変更されたことのみが送信された場合などに、最初に車両１に近づいた他の携帯機７が、自動的に車両１の位置を測定して車載機６に記憶させるような構成としても良い。車両１の位置の記憶が変更された場合には、車載機６や当該携帯機７が、他の各携帯機７へ変更後の車両１の位置を送信するようにしても良い。或いは、鍵（メカキーなど）で運転が行われて、車両１の位置が変更されたことのみが送信された場合などに、他の携帯機７は、間欠周期Ｃの調整をリセットして、一律に短い間欠周期Ｃ１（通常モード）となるようにしても良い。なお、ネットワーク上で車両１の位置を共有するような場合には、このような複雑な操作を不要化することが可能となる。
【００９６】
（構成７）
図５に示すように、上記携帯機７は、上記測位部２１〜２３（主に測位部２３）で測定した携帯機７の位置が、上記車両１との上記近距離無線通信の通信エリアＸの外部（領域Ｙ）に出た時に上記近距離無線通信を停止し、上記車両１との上記近距離無線通信の通信エリアＸの内部に入った時に上記近距離無線通信を開始するものとされる。
【００９７】
（補足説明７）
ここで、上記した「通信エリアＸの外部」は、文字通り、近距離無線通信の通信エリアＸの外側の領域Ｙのことである。
【００９８】
上記した「通信エリアＸの内部」は、文字通り、近距離無線通信の通信エリアＸの内側の領域のことである。
【００９９】
上記した「近距離無線通信を停止する」とは、携帯機７の間欠周期Ｃを０にすることである。
【０１００】
なお、近距離無線通信を停止する距離Ｄは、図示のように、通信エリアＸに対して若干内側または外側にズレていても良い。
【０１０１】
通信エリアＸによる近距離無線通信の停止および開始は、上記した距離監視部３６と間欠周期設定部３７とによって制御することができる。
【０１０２】
（構成８）
上記近距離無線通信装置が、携帯機７に搭載されたブルートゥース通信装置（BlueTooth（登録商標））とされる。
また、上記測位部２１〜２３が、少なくとも上記携帯機７に搭載されたＧＰＳ装置とされる。
【０１０３】
（補足説明８）
ここで、上記した「ブルートゥース通信装置」は、文字通り、ブルートゥース通信を行うための装置であり、現状では、ＩＣチップ化されたブルートゥースモジュールなどを、車載機６や携帯機７（の回路基板）に実装することによって、簡単に使用可能となるものである。ブルートゥースモジュールには、送信部と、受信部と、アンテナ部とが内蔵されている。但し、アンテナ部については、感度を上げるために外付けのものとしても良い。
【０１０４】
ここで、ブルートゥースは、デジタル機器間の近距離無線通信規格の一つであり、２．４ＧＨｚ帯の電波を使用して、数ｍ〜数十ｍ以下の範囲で簡易な情報のやりとりを行うものである。近年の普及率の高さと、通信エリアＸが最適なことなどにより、車両用キーレスシステム２に採用するのには最も適しているものと考えられる。ブルートゥースは、例えば、パソコンと、キーボードやマウスとの間の無線通信や、車載オーディオと携帯音楽プレーヤーとの間の無線通信などに既に使用されている。なお、ブルートゥース通信は、上記したＬＦ波（長波）による無線通信よりも、消費電力が大きい。
【０１０５】
上記した「ＧＰＳ装置」は、例えば、上空にある数個の人工衛星から送信される信号を受信して、送信から受信までの間にかかる僅かな時間差を利用によって正確な位置を測定するようにしたものである（Global Positioning System：全地球測位システム）。このＧＰＳ装置は、現在、我が国で最も普及している測位部２１〜２３である。このＧＰＳ装置も上記したブルートゥース通信装置と同様に、ＩＣチップ化されたＧＰＳモジュールなどを、車載機６や携帯機７（の回路基板）に実装することによって、簡単に使用可能となるものである。
【０１０６】
（構成９）
更に、好ましくは、携帯機７は、車両１と携帯機７との間の距離Ｄに応じて、測位部２３による携帯機７の位置の測位の間欠周期（測位周期）を調整させるようにする。
【０１０７】
（補足説明９）
測位部２３（ＧＰＳ装置など）による測位は、継続的に行うことができるが、既に上記したように、間欠的なものとすることにより、携帯機７の電力の消耗を抑えることが可能となる。そして、この構成では、更に、測位部２３による測位の間欠周期（測位周期）は、上記した間欠周期Ｃ（通信周期）と同様に距離Ｄに応じて調整させるようにしている。
【０１０８】
測位部２３（ＧＰＳ装置など）による測位周期の調整は、例えば、距離監視部３６や間欠周期設定部３７などによって行わせることができる。
【０１０９】
例えば、車両１と携帯機７との間の距離Ｄが離れている場合には、測位周期を長くして電力の消耗を抑えるようにし、車両１と携帯機７とのあいだの距離Ｄが近くなった場合に、測位周期を短くして、上記した間欠周期Ｃ（通信周期）の調整が素早く行い得るようにする。
【０１１０】
（構成１０）
上記携帯機７が、上記近距離無線通信装置および上記測位部２１〜２３を備えた多機能携帯端末、多機能携帯電話、専用携帯端末のいずれかとされる。
【０１１１】
（補足説明１０）
ここで、上記した「多機能携帯端末」は、モバイルパソコンや、タブレット型端末や、ＰＤＡや、電子書籍や、電子手帳や、電子辞書や、近年の著しい進化を遂げているデジタルカメラなどのような、近距離無線通信機能やジャイロセンサーや、更には、ＧＰＳ機能などを備えた各種のデジタル機器を広く含むことができる。
【０１１２】
上記した「多機能携帯電話」は、小型パソコンとしての多彩な機能（プログラム実行やデータ処理などの情報処理機能、インターネット機能、メール機能など）を備えたスマートフォンや、一般的な携帯電話を多機能化した多機能型の携帯電話などのような、近距離無線通信機能やジャイロセンサーや、更には、ＧＰＳ機能などを備えたものを含むものとされる。
【０１１３】
なお、上記した多機能携帯端末や多機能携帯電話の場合、上記した各機能は、例えば、「キーレス端末化用アプリ」などのソフトウェア（制御用プログラム）として構成して、常時起動させておくようにして使用することができる。或いは、上記した「キーレス端末化用アプリ」は、ユーザーが、運転などを行う際にその都度起動し、運転が終了したら終了するような使い方をしても良い。この実施例に記載した機能のほとんどは、主に、このキーレス端末化用アプリによってコントロールさることになる。
【０１１４】
上記した「専用携帯端末」は、上記した多機能携帯端末や多機能携帯電話を持っていないユーザーのために、上記した近距離無線通信機能やジャイロセンサーや、更には、ＧＰＳ機能などの必要な機能を持つものとして専用に開発された携帯機７（いわゆるＫｅｙＦｏｂ）などとすることができる。但し、専用携帯端末として、ＧＰＳ機能を省略した簡易版のものを別途用意するなどしても良い。
【０１１５】
なお、上記した携帯機７は、この場合、日常的に携帯されると共に、急速に普及されているスマートフォンなどの多機能携帯電話とするのが最適である。
【０１１６】
（構成１１）
上記車載機６は、運転終了を、車速０信号、シフトＰレンジ信号、パーキングブレーキ信号、エンジン停止信号、イグニッションオフ信号、アクセサリースイッチオフ信号、ドアロック信号、ドア開閉信号、のうちの少なくとも１つによって検知するよう構成される。
【０１１７】
（補足説明１１）
ここで、上記した「車速０信号」は、文字通り、車速が０であるかどうかを示す信号である。
【０１１８】
上記した「シフトＰレンジ信号」は、文字通り、シフトレバーがＰ（パーキング）レンジに入ったかどうかを示す信号である。
【０１１９】
上記した「パーキングブレーキ信号」は、文字通り、パーキングブレーキがオンになっているか、オフになっているかを示す信号である。
【０１２０】
上記した「エンジン停止信号」は、文字通り、エンジンが停止しているかどうかを示す信号である。
【０１２１】
上記した「イグニッションオフ信号」（ＩＧＮ−ＯＦＦ）は、文字通り、イグニッションスイッチが、オフになったことを示す信号である。
【０１２２】
上記した「アクセサリースイッチオフ信号」（ＡＣＣ−ＯＦＦ）は、文字通り、アクセサリースイッチがオフ信号になったことを示す信号である。
【０１２３】
上記した「ドアロック信号」は、文字通り、ドアロック機構５が施錠状態となっているか、または、解錠状態となっているかを示す信号である。
【０１２４】
上記した「ドア開閉信号」は、文字通り、ドアが開状態にあるか閉状態にあるかを示す信号である。
【０１２５】
これらの各信号（運転終了等検知用信号）は、車両１の各部に設置された各種のセンサー類や電子制御ユニットなどによって検知され、車両１に設けられたＣＡＮ３００などの車内情報通信網に乗って車両１の各部に送信されている信号である。よって、これらの各信号は、車載機６を上記した車内情報通信網に接続することによって、簡単に取得することができる。
【０１２６】
そして、車載機６の運転終了判断部２７は、これらの各信号の状態を、記憶装置１２に設けられたフラグ領域にセットして、これらのフラグの状態を調べることによって、運転終了や、降車などを判断するようなものとされる。
【０１２７】
或いは、車室内を撮影可能なカメラなどの撮影装置が搭載された車両１にあっては、撮影装置で撮影した車室内の映像を画像解析することによって、運転終了や降車などを判断することが可能なので、運転終了判断部２７は、上記した各信号の状態による運転終了や降車などの判断に替えて、または、上記と組み合わせて、撮影装置を用いた運転終了や降車などの判断を用いるようにしても良い。なお、上記した映像の画像解析においては、例えば、運転席に対する乗員の乗り降りや、着座の有無、または、運転動作などを撮影し解析することなどによって、運転終了や降車などを直接または間接的に判断させることができる。
【０１２８】
ここで、運転終了から降車までの一連の動きは、例えば、車速０、シフトＰレンジ、パーキングブレーキｏｎ、エンジン停止、イグニッションスイッチオフ、アクセサリースイッチオフ、ドアロック解錠、ドア開、ドア閉、ドアロック施錠、の順などとなるので（但し、これらの順番は入れ替わったり、一部が抜けたりすることもある）、運転終了判断部２７は、これらのいずれか１つまたは複数の動きを把握することによって、運転終了や降車を判断するように構成される。
【０１２９】
なお、運転終了判断部２７は、携帯機７に設けることも可能である。この場合には、運転終了判断部２７は、車載機６の記憶装置１２に設けられたフラグ領域に無線通信でアクセスするようなものとされる。
【０１３０】
（その他の構成）
携帯機７は、車載機６からの無線通信の受信強度（ＲＳＳＩ）に基づいて、携帯機７と車載機６との間の距離Ｄを測定し得るようにすることもできる。そして、この受信強度（ＲＳＳＩ）に基づいた距離Ｄを、衛星測位部を利用した測位部２１〜２３によって測定した距離Ｄと併用させるようにすることができる。例えば、測位部２１〜２３による測位ができないような状況の時に、受信強度（ＲＳＳＩ）に基づいた距離Ｄを使用させるようにする。
【０１３１】
そのために、携帯機７に、受信強度（ＲＳＳＩ）に基づいて距離Ｄを測定するＲＳＳＩ距離測定部４１を設けるようにしても良い。
【０１３２】
＜作用＞以下、この実施例の作用について説明する。
携帯機７を携帯しているユーザーが、車両１の外側部分に設置されたトリガースイッチ３を操作すると、トリガースイッチ３からのトリガー信号４が車両１に搭載された車載機６へ入力され、車載機６と携帯機７との間で無線通信が行われる。そして、この無線通信の結果、許可可能となった場合には、例えば、車載機６がドアロック機構５を操作する。これによって、ドアロックを解錠状態とすることができる。なお、車載機６は、ドアロック機構５を操作するのに加えて、または、ドアロック機構５を操作する替りに、他のイベント（例えば、ターンシグナルランプおよびハザードランプなどのランプ類１５ａなどの警報装置１５を点滅させることなどによって、乗車歓迎の意を表すウェルカム点灯など）を発生させるようにすることもできる。
【０１３３】
反対に、運転が終了し、ユーザーが降車した後で、携帯機７を携帯しているユーザーが、車両１の外側部分に設置されたトリガースイッチ３を操作すると、トリガースイッチ３からのトリガー信号４が車両１に搭載された車載機６へ入力され、車載機６と携帯機７との間で無線通信が行われる。そして、この無線通信の結果、許可可能となった場合には、例えば、車載機６がドアロック機構５を操作する。これによって、ドアロックを施錠状態とすることができる。
【０１３４】
なお、車載機６と携帯機７との間の無線通信が先に行われて許可が出されてから、トリガースイッチ３の操作を待ってドアロック機構５を操作するようにしても良い。
【０１３５】
また、トリガースイッチ３を用いずに、車載機６と携帯機７との間の無線通信のみでドアロック機構５の自動操作を行わせるようにしても良い。
【０１３６】
または、携帯機７にロック操作ボタンが設けられて、ロック操作ボタンの操作をトリガーとしてドアロック機構５の自動操作を行わせるようにしたても良い。
【０１３７】
＜効果＞この実施例によれば、以下のような効果を得ることができる。
（作用効果１）
車両１と携帯機７との間の距離Ｄに応じて、携帯機７の無線通信の間欠周期Ｃを調整することにより、近距離無線通信による電力の消耗を防止して、携帯機７の電池容量の減少や電池切れなどを抑制することができる。
【０１３８】
また、車両１と携帯機７との間の距離Ｄに応じて、携帯機７の無線通信の間欠周期Ｃを調整することにより、ドアロック機構５を操作する際における、応答性の低下を防止することができる。
【０１３９】
特に、車両１と携帯機７との間の距離Ｄが近い場合に間欠周期Ｃを短くし、車両１と携帯機７との間の距離Ｄが遠い場合に間欠周期Ｃを長くすることにより、上記効果を有効に発揮させることができる。
【０１４０】
（作用効果２）
図６のシーケンス図および、図７（車載機６側）、図８（携帯機７側）のフローチャート（主に図８参照）に示すように、運転終了の判断（ステップＳ１）によって、車両位置記憶部３５は、測位部２１〜２３で測定した車両１の位置を記憶する（ステップＳ１１）。
【０１４１】
そして、距離監視部３６は、車両位置記憶部３５に記憶した車両１の位置と、ステップＳ１２によって測位部２３で測定した携帯機７の位置とに基づいて、車両１と携帯機７との間の距離Ｄを監視する（ステップＳ１３）。
【０１４２】
間欠周期設定部３７は、距離監視部３６で監視している車両１と携帯機７との間の距離Ｄに応じて、車載機６に対して行う近距離無線通信の間欠周期Ｃを変更する（ステップＳ１４，１５）。
【０１４３】
このようなものとすることにより、携帯機７の近距離無線通信の間欠周期Ｃの調整を具体的に実施できる構成を得ることができる。
【０１４４】
（作用効果３）
少なくとも運転終了時に（ステップＳ１）、車両１または車載機６に設置された測位部２１，２２で車両１の位置を測定する（ステップＳ２）。
【０１４５】
そして、車載機６は、測定した車両１の位置を携帯機７へ送信する。携帯機７は、車載機６から送信された車両１の位置を記憶する（ステップＳ１１）。
【０１４６】
このようにすることにより、車両１側の測位部２１，２２によって車両１の位置を測定し、上記した機能（携帯機７の近距離無線通信の間欠周期Ｃの調整）を実現することができるようになる。
【０１４７】
（作用効果４）
或いは、少なくとも運転終了時に（ステップＳ１）、携帯機７に設置された測位部２３で車両１の位置を測定する（ステップＳ１１）。
【０１４８】
そして、携帯機７は、測定した車両１の位置を記憶する。
【０１４９】
このようにすることにより、車両１側に測位部２１，２２が設けられていないような場合であっても、携帯機７が有する測位部２３によって車両１の位置を測定することができるので、携帯機７の測位部２３のみによって車両１の位置を測定し、上記した機能（携帯機７の近距離無線通信の間欠周期Ｃの調整）を実現することができるようになる。
【０１５０】
（作用効果５）
少なくとも車両１の位置が変更された時に、携帯機７（運転に使用された携帯機７）は、変更後の車両１の位置を、当該携帯機７に設置された測位部２３で測定して、車載機６に登録された他の携帯機７へ送信する。
【０１５１】
そして、他の携帯機７は、記憶している車両１の位置を、上記携帯機７（運転に使用された携帯機７）によって送信された変更後の（最新の）車両１の位置に書き換える。
【０１５２】
このようにすることにより、車両１の位置の変更があった場合でも、登録された他の携帯機７に対して有効な位置変更対策を行わせることができる。しかも、携帯機７どうしで、車両１の位置の変更を通報し合うようにしているので、車載機６の負担を減らすことができる。
【０１５３】
（作用効果６）
或いは、少なくとも車両１の位置が変更された時に、車載機６が、変更後の車両１の位置、或いは、車両１の位置が変更されたことを、車載機６に登録された他の携帯機７へ送信する。
【０１５４】
そして、他の携帯機７は、記憶している車両１の位置を、車載機６によって送信された変更後の車両１の位置に書き換える（ケース１）。または、他の携帯機７は、車載機６が記憶している変更後の車両１の位置を受信して、当該変更後の車両１の位置に書き換える（ケース２）。
【０１５５】
或いは、他の携帯機７は、当該携帯機７に設置された測位部２３で変更後の車両１の位置を（後日）測定し直して、当該測定した車両１の位置に書き換える（ケース３）。
【０１５６】
このようにすることにより、車両１の位置の変更があった場合でも、登録された他の携帯機７に対して有効な位置変更対策を行わせることができる。
【０１５７】
（作用効果７）
図５に示すように、携帯機７は、測位部２３で測定した携帯機７の位置が、車両１との近距離無線通信の通信エリアＸの外部に出た時に近距離無線通信を停止し、車両１との近距離無線通信の通信エリアＸの内部に入った時に近距離無線通信を開始する。これにより、通信エリアＸの外部では、近距離無線通信を停止する分だけ、携帯機７の電池の消費量を少なくすることができる。また、携帯機７の位置は、携帯機７自身の測位部２３で測定できるので、通信エリアＸの内部に入った時に確実に近距離無線通信を開始（再開）させることができる。よって、車両１と携帯機７との間の近距離無線通信に影響を及ぼすことが防止される。
【０１５８】
（作用効果８）
近距離無線通信装置が、携帯機７に搭載されたブルートゥース通信装置（BlueTooth（登録商標））であることにより、近年急速に普及されているブルートゥース通信装置（BlueTooth（登録商標））をそのまま利用してドアロック装置の操作を行わせるようにすることができる。
【０１５９】
また、測位部２１〜２３が、少なくとも携帯機７に搭載されたＧＰＳ装置であることにより、携帯機７の位置を、ＧＰＳ装置を用いて正確に測定することができる。このＧＰＳ装置は、現在、我が国で最も普及されているものなので、測位部２１〜２３に用いるのには、最も便宜が良い。なお、車両１の位置は、上記したような、車両１に搭載されたＧＰＳ装置や、携帯機７に搭載されたＧＰＳ装置によって測定することができる。また、車両１の位置は、携帯機７の表示装置７ａに必要に応じて随時表示させることができる。
【０１６０】
（作用効果９）
携帯機７が、車両１と携帯機７との間の距離Ｄに応じて、測位部２３による携帯機７の位置の測位の間欠周期（測位周期）を調整することにより、携帯機７の電力の消耗をより一層抑えることができるようになる。
【０１６１】
（作用効果１０）
近距離無線通信装置や測位部２１〜２３を備えていれば、多機能携帯端末や、多機能携帯電話や、専用携帯端末などの各種の携帯機７によってドアロック装置の操作を行わせ得るようにすることができる。これにより、例えば、スマートフォンなどを車両用キーレスシステム２の携帯機７として使用することが可能となり、スマートフォンの用途を拡げると共に、外出時の持ち物の数を減らすことができる。
【０１６２】
（作用効果１１）
車速０信号、シフトＰレンジ信号、パーキングブレーキ信号、エンジン停止信号、イグニッションオフ信号、アクセサリースイッチオフ信号、ドアロック信号、ドア開閉信号、のうちの少なくとも１つを用いることにより、車載機６は、運転停止を確実に検知することができる。また、ドアの開閉や降車なども簡単に検知することができる。
【０１６３】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【０１６４】
１    車両
２    車両用キーレスシステム
５    ドアロック機構
６    車載機
７    携帯機
２１  測位部
２２  測位部
２３  測位部
２４  間欠周期調整部
３５  車両位置記憶部
３６  距離監視部
３７  間欠周期設定部
Ｃ  間欠周期
Ｄ  距離
Ｘ  通信エリア
【図１】
2014152457.tif 000003
【図２】
2014152457.tif 000004
【図３】
2014152457.tif 000005
【図４】
2014152457.tif 000006
【図５】
2014152457.tif 000007
【図６】
2014152457.tif 000008
【図７】
2014152457.tif 000009
【図８】
2014152457.tif 000010